(57)【特許請求の範囲】
【請求項１】
ディジタル映像信号における目的の画素を中心としてこの画素に隣接する水平、垂直、右上がり斜め、左上がり斜めのそれぞれの方向の画素間の輝度の差分の最も大きな方向の画素の輝度と前記目的の画素の輝度とについてそれぞれ重み付けをして輪郭強調値を得、同様に、前記目的の画素に連続する画素を、新たに目的の画素として順次繰り返し、これら連続する２つの輪郭強調値の符号が同じであるときは、これら２つの輪郭強調値に連続する前後の輪郭強調値をそのまま採用し、これら連続する２つの輪郭強調値の符号が異なるときは、これら２つの輪郭強調値に連続する前後の輪郭強調値を０とする斜め最適化処理をし、この斜め最適化処理をした輪郭強調値をそれぞれ対応する前記目的の画素に加算するようにしたことを特徴とする輪郭強調方法。
【請求項２】
ディジタル映像信号における目的の画素を中心としてこの画素に隣接する水平、垂直、右上がり斜め、左上がり斜めの方向の全ての画素の時間を一致させるための１ドット遅延回路１１と１ライン遅延回路１２とからなる時間一致手段と、この時間一致手段により時間一致された水平、垂直、右上がり斜め、左上がり斜めのそれぞれの方向の画素間の輝度の差分の絶対値の最も大きな画素の方向を検出する輪郭方向検出部２４と、この輪郭方向検出部２４で検出された方向の画素の輝度と前記目的の画素の輝度とについてそれぞれ重み付けをして輪郭強調値を得、同様に、前記目的の画素に連続する画素を、新たに目的の画素として順次繰り返し、これら連続する２つの輪郭強調値の符号が同じであるときは、これら２つの輪郭強調値に連続する前後の輪郭強調値をそのまま採用し、これら連続する２つの輪郭強調値の符号が異なるときは、これら２つの輪郭強調値に連続する前後の輪郭強調値を０とする斜め最適化処理をする斜め最適化回路２５を具備した輪郭検出部１８と、この輪郭検出部１８により斜め最適化処理をした輪郭強調値をそれぞれ対応する前記目的の画素に加算する加算回路２２とを具備してなることを特徴とする輪郭強調回路。
【請求項３】
輪郭検出部１８は、輪郭方向検出部２４で検出された方向の画素の輝度についてそれぞれ重み付けをする輪郭検出フィルタ１９ａ、１９ｃと、前記目的の画素Ｂ２の輝度について重み付けをする輪郭検出フィルタ１９ｂと、連続する２つの輪郭強調値の符号が同じであるときは、この２つの輪郭強調値に連続する前後の輪郭強調値をそのまま採用し、連続する２つの輪郭強調値の符号が異なるときは、２つの輪郭強調値に連続する前後の輪郭強調値を０とする斜め最適化処理をする斜め最適化回路２５とを具備してなることを特徴とする請求項２記載の輪郭強調回路。
【請求項４】
時間一致手段は、目的の画素Ｃ３を中心としてこの画素Ｃ３に隣接する水平Ｃ１とＣ５、Ｃ２とＣ４、垂直Ａ３とＥ３、Ｂ３とＤ３、右上がり斜めＥ１とＡ５、Ｄ２とＢ４、左上がり斜めＡ１とＥ５、Ｂ２とＤ４の各対をなす１７個の全ての画素の時間を一致させるための１ドット遅延回路１１と１ライン遅延回路１２とからなり、輪郭方向検出部２４は、前記時間一致手段により時間一致された水平Ｃ１とＣ５、Ｃ２とＣ４、垂直Ａ３とＥ３、Ｂ３とＤ３、右上がり斜めＥ１とＡ５、Ｄ２とＢ４、左上がり斜めＡ１とＥ５、Ｂ２とＤ４の各対をなす画素間の輝度の差分を減算回路１３で検出し、絶対値演算回路１４でその差分の絶対値を求め、最大値検出回路１５で絶対値の最も大きな画素の方向を検出し、この検出信号により第１選択回路１６と第２選択回路１７から水平Ｃ１とＣ５、Ｃ２とＣ４、垂直Ａ３とＥ３、Ｂ３とＤ３、右上がり斜めＥ１とＡ５、Ｄ２とＢ４、左上がり斜めＡ１とＥ５、Ｂ２とＤ４のいずれかの方向を選択して出力するものからなり、輪郭検出部１８は、前記輪郭方向検出部２４で検出された方向の画素の輝度についてそれぞれ重み付けをする輪郭検出フィルタ１９ａ、１９ｂ、１９ｄ、１９ｅと、前記目的の画素Ｃ３の輝度について重み付けをする輪郭検出フィルタ１９ｃと、これらを加算する加算回路２０とを具備してなり、加算回路２２は、前記輪郭検出部１８により重み付けされた輪郭強調値を前記目的の画素Ｃ３に加算するものからなることを特徴とする請求項２記載の輪郭強調回路。
【請求項５】
輪郭方向検出部２４で検出された方向の画素の輝度についてそれぞれ重み付けをする輪郭検出フィルタ１９ａ、１９ｂ、１９ｄ、１９ｅの係数をそれぞれ−１／１６、−１／８、−１／８、−１／１６とし、目的の画素Ｃ３の輝度について重み付けをする輪郭検出フィルタ１９ｃの係数を３／８としたことを特徴とする請求項４記載の輪郭強調回路。
【発明の詳細な説明】
【０００１】
【発明の属する技術分野】
本発明は、ディジタル映像信号の処理において、輪郭を強調する際に、輪郭の方向性を考慮して輪郭を強調するようにした輪郭強調方法及び回路に関するものである。
【０００２】
【従来の技術】
従来のこの種の輪郭強調回路は、図７に示すように、水平輪郭検出部２９、垂直輪郭検出部３０、加算回路３１、加算回路３２からなる。
前記水平輪郭検出部２９は、映像信号入力端子１０に直接接続された輪郭検出フィルタ１９ａ、１個の１ドット遅延回路１１を介在して接続された輪郭検出フィルタ１９ｂ、２個の１ドット遅延回路１１を介在して接続された輪郭検出フィルタ１９ｃ、前記輪郭検出フィルタ１９ａ、１９ｂ、１９ｃの各出力を加算する加算回路２０、予め設定された係数Ｋ１を乗算する係数乗算回路２１とからなる。
前記垂直輪郭検出部３０は、映像信号入力端子１０に、１個の１ドット遅延回路１１を介在して接続された輪郭検出フィルタ１９ａ、１個の１ドット遅延回路１１と１個の１ライン遅延回路１２を介在して接続された輪郭検出フィルタ１９ｂ、１個の１ドット遅延回路１１と２個の１ライン遅延回路１２を介在して接続された輪郭検出フィルタ１９ｃ、前記輪郭検出フィルタ１９ａ、１９ｂ、１９ｃの各出力を加算する加算回路２０、予め設定された係数Ｋ２を乗算する係数乗算回路２１とからなる。
【０００３】
以上のような従来の回路構成において、映像信号入力端子１０に、図８（ａ）に示すような水平方向と垂直方向に輪郭のあるディジタル映像信号が入力したものとする。ここで、輪郭は、輝度の差が連続して現われる場合であり、輝度の差があっても連続しない場合には輪郭とはいえない。図８（ａ）に示す例では、輝度「８」と輝度「４」が水平方向と垂直方向に連続して現われている個所が輪郭として認識される。
【０００４】
このような場合において、水平輪郭検出部２９で処理をすると、輪郭検出フィルタ１９ａ、１９ｂ、１９ｃの出力は、それぞれの係数を−１／４、２／４、−１／４とすると、
Ｘ１のとき、
８×（−１／４）、８×（２／４）、８×（−１／４）＝−２、＋４、−２
となり、加算回路２０の出力＝０となる。同様に、
Ｘ２のとき、
８、８、４＝−２、＋４、−１となり、加算回路２０の出力＝＋１となり、
Ｘ３のとき、
８、４、４＝−２、＋２、−１となり、加算回路２０の出力＝−１となり、
Ｘ４のとき、
４、４、４＝−１、＋２、−１となり、加算回路２０の出力＝０となる。
この図８（ａ）では、これらの４つの例しか存在しない。係数乗算回路２１の係数Ｋ１＝１とすると、その出力は、図８（ｂ）のようになる。
【０００５】
垂直輪郭検出部３０で処理をした場合もＹ１、Ｙ２、Ｙ３、Ｙ４の４つの例しか存在しないので、前記同様、係数乗算回路２１の係数Ｋ２＝１とすると、その出力は、図８（ｃ）のようになる。
これらの値が加算回路３１で加算され、さらに加算回路３２で元の映像信号に加算されると、映像出力端子２３には、図８（ｄ）のように、基本的には、輝度「８」の輪郭個所は、８＋１＝９となり、と輝度「４」の輪郭個所は、４−１＝３となって輪郭が強調される。
【０００６】
次に、従来の回路構成において、映像信号入力端子１０に、図９（ａ）に示すような右上がり斜め方向に輝度「８」と輝度「４」による輪郭のあるディジタル映像信号が入力したものとする。
【０００７】
このような場合において、水平輪郭検出部２９で処理をすると、輪郭検出フィルタ１９ａ、１９ｂ、１９ｃの出力は、
Ｘ１では、
８、８、４＝−２、＋４、−１となり、加算回路２０の出力＝＋１となり、
Ｘ２では、
８、４、４＝−２、＋２、−１となり、加算回路２０の出力＝−１となる。
垂直輪郭検出部３０で処理をした場合も同様で、
Ｙ１では、
８、８、４＝−２、＋４、−１となり、加算回路２０の出力＝＋１となり、
Ｙ２では、
８、４、４＝−２、＋２、−１となり、加算回路２０の出力＝−１となる。
これらの値が加算回路３１で加算され、さらに加算回路３２で元の映像信号と加算され、映像出力端子２３には、図９（ｂ）のように、輪郭が強調される。
【０００８】
【発明が解決しようとする課題】
図８（ａ）に示すような水平方向と垂直方向に輪郭のあるディジタル映像信号が入力した場合において、水平輪郭と垂直輪郭が交差する個所では、図８（ｄ）に〇で示すように、高輝度「８」の輪郭個所は、水平と垂直のいずれも輪郭強調作用がなされないので「８」のままであるが、低輝度「４」の輪郭個所は、水平と垂直の両方の輪郭強調が作用し、４−１−１＝２となって輪郭がより強調される。輪郭は、連続した同一輝度中に、特異な点が１個所でもあると目立ってしまう、という問題があった。
【０００９】
また、図９（ａ）に示すような４５度の方向に輪郭のあるディジタル映像信号が入力した場合においては、水平輪郭と垂直輪郭が交差する個所が連続しているものとして処理されるので、図９（ｂ）に〇で示すように、高輝度「８」の輪郭個所は、水平と垂直の両方の輪郭強調が作用し、８＋１＋１＝１０となり、低輝度「４」の輪郭個所でも、水平と垂直の両方の輪郭強調が作用し、４−１−１＝２となる。このため、傾斜している輪郭個所の「８」が「１０」に、「４」が「２」に強調され過ぎて、却って目立ってしまう、という問題があった。
【００１０】
本発明は、輪郭の方向性を検出することにより、水平輪郭と垂直輪郭の交差する点及び斜め輪郭点における輪郭強調をより自然な輪郭として処理できるようにした輪郭強調方法及び回路を提供することを目的とするものである。
【００１１】
【課題を解決するための手段】
本発明は、水平輪郭と垂直輪郭の交差する点の問題点を解決するために、ディジタル映像信号における目的の画素を中心としてこの画素に隣接する水平、垂直、右上がり斜め、左上がり斜めのそれぞれの方向の画素間の輝度の差分の最も大きな方向の画素の輝度と前記目的の画素の輝度とについてそれぞれ重み付けをして輪郭強調値を得、この輪郭強調値を前記目的の画素に加算するようにしたことを特徴とする輪郭強調方法である。
【００１２】
本発明は、水平輪郭と垂直輪郭の交差する点のみならず、斜め輪郭点における問題点をも解決するために、ディジタル映像信号における目的の画素を中心としてこの画素に隣接する水平、垂直、右上がり斜め、左上がり斜めのそれぞれの方向の画素間の輝度の差分の最も大きな方向の画素の輝度と前記目的の画素の輝度とについてそれぞれ重み付けをして輪郭強調値を得、同様に、前記目的の画素に連続する画素を、新たに目的の画素として順次繰り返し、これら連続する２つの輪郭強調値の符号が同じであるときは、これら２つの輪郭強調値に連続する前後の輪郭強調値をそのまま採用し、これら連続する２つの輪郭強調値の符号が異なるときは、これら２つの輪郭強調値に連続する前後の輪郭強調値を０とする斜め最適化処理をし、この斜め最適化処理をした輪郭強調値をそれぞれ対応する前記目的の画素に加算するようにしたことを特徴とする輪郭強調方法である。
【００１３】
【発明の実施の形態】
本発明は、ある画素を中心にして、この画素に隣接する水平、垂直、右上がり斜め、左上がり斜めの各画素間の絶対値の最も大きな方向の輪郭強調値のみを採用して、水平輪郭と垂直輪郭の交差点及び斜め輪郭点における輪郭強調が必要以上に行われないようにし、また、輪郭強調されなかった個所が適正に輪郭強調作用がなされてより自然な輪郭強調を行うようにしたものである。このように、水平輪郭と垂直輪郭の交差する点及び斜め輪郭点における輪郭強調が２重に処理されたり、必要な輪郭強調作用がなされないことによる不都合をなくしてより自然な輪郭として処理できるようにしたものである。
本発明は、さらに、水平輪郭と垂直輪郭の交差する点のみならず、斜め輪郭点における問題点をも解決するために、重み付けされた連続する２つの輪郭強調値の符号が同じであるときは２つの輪郭強調値に連続する前後の輪郭強調値をそのまま採用し、この重み付けされた連続する２つの輪郭強調値の符号が異なるときは２つの輪郭強調値に連続する前後の輪郭強調値を０とする斜め最適化処理をし、この斜め最適化処理をした輪郭強調値を前記目的の画素に加算するようにしたものである。
【００１４】
本発明の第１実施例を図１乃至図３に基づき説明する。
図１において、図２に示すＢ２画素を中心にして、このＢ２画素に隣接する水平画素Ｂ１、Ｂ３、垂直画素Ａ２、Ｃ２、右上がり斜め画素Ｃ１、Ａ３、左上がり斜め画素Ａ１、Ｃ３の９画素の時間を一致させるため、映像信号入力端子１０に、６個の１ドット遅延回路１１と２個の１ライン遅延回路１２が結合される。
さらに詳しくは、映像信号入力端子１０から直接取り出された時間遅れのないＣ３と時間を一致させるため、Ｃ２を１個の１ドット遅延回路１１による１画素遅れとし、Ｃ１を２個の１ドット遅延回路１１による２画素遅れとし、Ｂ３を１個の１ライン遅延回路１２による１ライン遅れとし、以下同様に、Ｂ２を１ライン、１画素遅れとし、Ｂ１を１ライン、２画素遅れとし、Ａ３を２ライン遅れとし、Ａ２を２ライン、１画素遅れとし、Ａ１を２ライン、２画素遅れとする。
【００１５】
これらのＡ１、Ａ２、Ａ３、Ｂ１、Ｂ２、Ｂ３、Ｃ１、Ｃ２、Ｃ３は、輪郭方向検出部２４、輪郭検出部１８を経て加算回路２２に接続され、さらに映像出力端子２３に接続される。
前記輪郭方向検出部２４の詳細を説明すると、Ｂ２を中心として、水平方向のＢ１とＢ３は、その差を検出する減算回路１３ａと、絶対値演算回路１４ａに順次接続され、右上がり斜め方向のＣ１とＡ３は、その差を検出する減算回路１３ｂと、絶対値演算回路１４ｂに順次接続され、垂直方向のＡ２とＣ２は、その差を検出する減算回路１３ｃと、絶対値演算回路１４ｃに順次接続され、左上がり斜め方向のＡ１とＣ３は、その差を検出する減算回路１３ｄと、絶対値演算回路１４ｄに順次接続されている。
これらの絶対値演算回路１４ａ〜１４ｄは、最大値検出回路１５に接続され、この最大値検出回路１５は、第１選択回路１６と第２選択回路１７との中から水平画素Ｂ１、Ｂ３、垂直画素Ａ２、Ｃ２、右上がり斜め画素Ｃ１、Ａ３、左上がり斜め画素Ａ１、Ｃ３のいずれかを選択するための信号が出力する。
【００１６】
前記第１選択回路１６の出力は、輪郭検出部１８の輪郭検出フィルタ１９ａに、前記第２選択回路１７の出力は、輪郭検出フィルタ１９ｃに、Ｂ２は、輪郭検出フィルタ１９ｂにそれぞれ接続され、さらに、これらの輪郭検出フィルタ１９ａ、１９ｂ、１９ｃは、加算回路２０に接続され、係数乗算回路２１を経てＢ２とともに加算回路２２に接続される。
【００１７】
以上のような構成による作用を説明する。
映像信号入力端子１０に入力したディジタル映像信号が図３（ａ）のように水平方向と垂直方向に輪郭を有するものであるとする。
Ａ１、Ａ２、Ａ３、Ｂ１、Ｂ２、Ｂ３、Ｃ１、Ｃ２、Ｃ３は、１ドット遅延回路１１と１ライン遅延回路１２により同一時間となるように同期が取られ、減算回路１３、絶対値演算回路１４、最大値検出回路１５で水平画素Ｂ１、Ｂ３、垂直画素Ａ２、Ｃ２、右上がり斜め画素Ｃ１、Ａ３、左上がり斜め画素Ａ１、Ｃ３のそれぞれの差分が検出され、かつ絶対値が求められ、その中から最大値が検出される。
【００１８】
輪郭検出フィルタ１９ａ、１９ｂ、１９ｃのそれぞれの係数を−１／４、２／４、−１／４とすると、水平画素の絶対値｜Ｂ１−Ｂ３｜が最大値であれば、輪郭検出部１８にて、（−Ｂ１＋２Ｂ２−Ｂ３）／４が演算され、垂直画素の絶対値｜Ａ２−Ｃ２｜が最大値であれば、輪郭検出部１８にて、（−Ａ２＋２Ｂ２−Ｃ２）／４が演算され、右上がり斜め画素の絶対値｜Ｃ１−Ａ３｜が最大値であれば、輪郭検出部１８にて、（−Ｃ１＋２Ｂ２−Ａ３）／４が演算され、左上がり斜め画素の絶対値｜Ａ１−Ｃ３｜が最大値であれば、輪郭検出部１８にて、（−Ａ１＋２Ｂ２−Ｃ３）／４が演算される。
【００１９】
例えば、図３（ａ）において、Ｚ１で囲まれた９画素の場合、左上がり斜め画素の絶対値｜Ａ１−Ｃ３｜が最大値であるから、（−Ａ１＋２Ｂ２−Ｃ３）／４が演算され、そのときのＢ２は、図３（ｂ）のように、＋１となる。
Ｚ２で囲まれた９画素の場合、水平画素の絶対値｜Ｂ１−Ｂ３｜、垂直画素の絶対値｜Ａ２−Ｃ２｜、左上がり斜め画素の絶対値｜Ａ１−Ｃ３｜のいずれもが最大値であるから、任意の１つが選択されて演算され、そのときのＢ２は、図３（ｂ）のように、−１となる。
同様に、Ｘ１で囲まれた９画素の場合、＋１、Ｘ２で囲まれた９画素の場合、−１、Ｙ１で囲まれた９画素の場合、＋１、Ｙ２で囲まれた９画素の場合、−１となって、図３（ｂ）に示すような輪郭強調値が輪郭検出部１８で得られる。
この輪郭検出部１８で得られた輪郭強調値が加算回路２２でＢ２と加算されると、図３（ｃ）に示すような輪郭強調された映像信号となる。
この図３（ｃ）からも明らかなように、水平輪郭と垂直輪郭の交差点においてより自然な状態に輪郭強調されていることがわかる。
【００２０】
次に本発明による第２実施例を図４乃至図６に基づき説明する。
前記図１の第１実施例では、水平方向と垂直方向の輪郭については、全く問題なく輪郭強調作用を行うことができるが、斜めの輪郭については、輪郭強調され過ぎるという若干の問題点を有する。
例えば、図６（ａ）に示すように、右上がりの輪郭を有する場合、図１に示した第１実施例によれば、Ｘ１で囲まれた９画素の場合、＋１、Ｘ２で囲まれた９画素の場合、＋１、Ｘ３で囲まれた９画素の場合、−１、Ｘ４で囲まれた９画素の場合、−１となって、図６（ｂ）の斜線で示すように、＋１が２画素続き、次いで、−１が２画素続くため、輪郭強調され過ぎる。
【００２１】
そこで、本発明の第２実施例では、図４に示すように、輪郭検出部１８において、加算回路２０と係数乗算回路２１との間に、斜め最適化回路２５を介在して前記のような不都合をなくすようにしたものである。
この斜め最適化回路２５は、３個の１ドット遅延回路１１を直列に接続し、第１番目の１ドット遅延回路１１と加算回路２０との間に切換部２７を介在し、第３番目の１ドット遅延回路１１と係数乗算回路２１との間に切換部２８を介在し、第１番目の１ドット遅延回路１１の出力側と第２番目の１ドット遅延回路１１の出力側とに、これらの符号を比較する符号比較部２６を接続し、この符号比較部２６の出力により前記切換部２７と切換部２８を切換え制御するようにしたものである。なお、この斜め最適化回路２５を介在したことによる信号Ｂ２の時間合わせのため、加算回路２２の前段に３ドット遅延回路３３が挿入される。
【００２２】
以上のように構成された輪郭強調回路の作用を説明する。
輪郭検出部１８における加算回路２０の出力は、第１実施例と同様であり、図６（ａ）におけるＸ１、Ｘ２、Ｘ３、Ｘ４に対応して、図６（ｂ）のような輪郭強調値ａ１＝＋１、ａ２＝＋１、ａ３＝−１、ａ４＝−１が得られる。
第１番目の１ドット遅延回路１１の出力ａ２と第２番目の１ドット遅延回路１１の出力ａ３との符号が符号比較部２６で比較される。この例では、ａ２の符号が＋、ａ３の符号が−であり、符号が異なるため、切換部２７と切換部２８は０に設定される。従って、ａ１、ａ４はともに０となり、図６（ｃ）に示すように、輪郭強調値ａ１＝０、ａ２＝＋１、ａ３＝−１、ａ４＝０が得られる。同様にａ１＝０、ａ２＝＋１、ａ３＝＋１、ａ４＝−１のとき、ａ２とａ３の符号が同じであるからそのまま
ａ１＝０、ａ２＝＋１、ａ３＝＋１、ａ４＝−１を出力し、
ａ１＝＋１、ａ２＝−１、ａ３＝−１、ａ４＝０のときも、ａ２とａ３の符号が同じであるからそのまま
ａ１＝＋１、ａ２＝−１、ａ３＝−１、ａ４＝０を出力する。
この結果、図６（ｄ）に示すように、傾斜した輪郭においてもより自然な状態に輪郭強調されていることがわかる。
【００２３】
図１及び図４において、輪郭検出部１８の輪郭検出フィルタ１９ａ、１９ｂ、１９ｃの係数をそれぞれ−１／４、１／２、−１／４としたがこれに限られるものではなく、３つの係数を加えると０になるような、例えば、−１／５、２／５、−１／５等とすることができる。
また、前記実施例では、３×３＝９画素ずつ処理するようにしたが、これに限るものではなく、５×５＝２５画素ずつ処理するようにしてもよい。例えば、Ａ１〜Ａ５、Ｂ１〜Ｂ５、Ｃ１〜Ｃ５、Ｄ１〜Ｄ５、Ｅ１〜Ｅ５とした場合、Ｃ３が中心となる画素であり、また、輝度の差分は、水平方向なら、Ｃ１とＣ５の差分と、Ｃ２とＣ４の差分が検出される。そして、各係数を例えば、−１／１６、−２／１６、６／１６、−２／１６、−１／１６等とすることができる。この場合、２５画素すべてが演算の対象となるのではなく、Ａ２、Ａ４、Ｂ１、Ｂ５、Ｄ１、Ｄ５、Ｅ２、Ｅ４の８画素は、検出の対象から除かれ、水平、垂直、右上がり斜め、左上がり斜めの１７画素が演算の対象となる。
【００２４】
【発明の効果】
本発明は、ディジタル映像信号における目的の画素を中心としてこの画素に隣接する水平、垂直、右上がり斜め、左上がり斜めのそれぞれの方向の画素間の輝度の差分の最も大きな方向の画素の輝度と前記目的の画素の輝度とについてそれぞれ重み付けをして輪郭強調値を得、この輪郭強調値を前記目的の画素に加算するようにしたので、水平輪郭と垂直輪郭が交差する個所では、斜め方向による輪郭強調作用がなされ、水平と垂直の輪郭のみならず、水平と垂直の交差する点における輪郭も自然な状態で強調される。
【００２５】
本発明は、さらに、連続する２つの輪郭強調値の符号が同じであるときは、これら２つの輪郭強調値に連続する前後の輪郭強調値をそのまま採用し、これら連続する２つの輪郭強調値の符号が異なるときは、これら２つの輪郭強調値に連続する前後の輪郭強調値を０とする斜め最適化処理をし、この斜め最適化処理をした輪郭強調値をそれぞれ対応する前記目的の画素に加算するようにしたので、斜め方向に輪郭のあるディジタル映像信号が入力した場合においても、水平輪郭と垂直輪郭が交差する個所が連続しているものとして処理されるようなことがなく、斜め方向おける輪郭が自然な状態で強調される。
【００２６】
本発明は、目的の画素を中心としてこの画素に隣接する水平、垂直、右上がり斜め、左上がり斜めの９（３×３）画素により処理することも出来るとともに、２５（５×５）画素により処理することも出来る。２５（５×５）画素により処理した場合には、輪郭検出フィルタの次数が増え、精細な輪郭制御が可能となる。ただし、２５画素の場合は、処理に使用されるのは、１７画素となる。
【図面の簡単な説明】
【図１】本発明による輪郭強調回路の第１実施例を示すブロック図である。
【図２】図１の動作説明のための説明図である。
【図３】（ａ）は、図１における映像信号入力端子１０から入力したディジタル信号の原画を示す図、（ｂ）は、図１における輪郭検出部１８の出力信号を示す図、（ｃ）は、図１における映像出力端子２３の出力信号を示す図である。
【図４】本発明による輪郭強調回路の第２実施例を示すブロック図である。
【図５】図２における斜め最適化回路２５の動作説明のための説明図である。
【図６】（ａ）は、図４における映像信号入力端子１０から入力したディジタル信号の原画を示す図、（ｂ）は、図４における加算回路２０の出力信号を示す図、（ｃ）は、図４における斜め最適化回路２５により斜め最適化処理した後の出力信号を示す図、（ｄ）は、図４における映像出力端子２３の出力信号を示す図である。
【図７】従来の輪郭強調回路のブロック図である。
【図８】（ａ）は、図７における映像信号入力端子１０から入力したディジタル信号の原画を示す図、（ｂ）は、図７における水平輪郭検出部２９の出力信号を示す図、（ｃ）は、図７における垂直輪郭検出部３０の出力信号を示す図、（ｄ）は、図７における映像出力端子２３の出力信号を示す図である。
【図９】（ａ）は、図７における映像信号入力端子１０から入力したディジタル信号の原画を示す図、（ｂ）は、図７における映像出力端子２３の出力信号を示す図である。
【符号の説明】
１０…映像信号入力端子、１１…１ドット遅延回路、１２…１ライン遅延回路、１３、１３ａ〜１３ｄ…減算回路、１４、１４ａ〜１４ｄ…絶対値演算回路、１５…最大値検出回路、１６…第１選択回路、１７…第２選択回路、１８…輪郭検出部、１９、１９ａ〜１９ｃ…輪郭検出フィルタ、２０…加算回路、２１…係数乗算回路、２２…加算回路、２３…映像出力端子、２４…輪郭方向検出部、２５…斜め最適化回路、２６…符号比較部、２７…切換部、２８…切換部、２９…水平輪郭検出部、３０…垂直輪郭検出部、３１…加算回路、３２…加算回路、３３…３ドット遅延回路。
【図１】
0003743235.tif 000002
【図２】
0003743235.tif 000003
【図３】
0003743235.tif 000004
【図４】
0003743235.tif 000005
【図５】
0003743235.tif 000006
【図６】
0003743235.tif 000007
【図７】
0003743235.tif 000008
【図８】
0003743235.tif 000009
【図９】
0003743235.tif 000010